(57)【特許請求の範囲】
【請求項１】
作業用の天板と、折り畳まれることにより収納位置に設定可能で、拡開されることにより使用位置に設定可能に天板の両端部に夫々取り付けられる前後一対の脚体と、前後各脚体を使用位置に保持するために天板と各脚体との間に介装されるブレスとからなる作業台において、
各ブレスは一対のブレス部材からなるもので、両ブレス部材は、直線状につながった使用姿勢から山形状の収納姿勢に屈折できるようにその互いの側壁間を直交して設けられたピンによって一端部どうしが枢支連結され、且つ両ブレス部材の何れか一方の一端部に両ブレス部材の対向端部間での指詰めを防止する指詰め防止カバーを設けられ、一方のブレス部材の他端部は天板側に枢着され、他方のブレス部材の他端部は脚体側に枢着され、一方のブレス部材の一端部にはロックピンが設けられ、該ロックピンは、支軸部と、支軸部の先端部から直角に延びたつなぎ軸部と、つなぎ軸部の先端部から内向きに支軸部と平行するように突出したロック軸部と、ロック軸部の先端面に形成されたテーパ面とよりなり、該ロックピンは、ブレス部材の左右側壁に設けられた軸挿通孔に支軸部を軸支し且つ同じく側壁に設けられたピン孔にロック軸部を係入させた状態で、支軸部とブレス部材との間に介装したバネで常時ロック位置に付勢されるように設けられ、他方のブレス部材の一端部には、その側板部にロックピンのロック軸部が係入するロックピン孔を有するロック金具が設けられ、脚体が収納位置に折り畳まれた時はロックピンがロック金具のロック孔から離脱しており、脚体が使用位置に拡開される時にロック金具がロックピンをバネに抗して押し上げながら該ロック金具の側板部に設けたロックピン孔に落とし込んで両ブレス部材をその互いの側壁間を直交して設けられた前記枢支連結ピンと平行に設けられたロックピンとによって直線状の使用姿勢に自動的にロックし、ロックピンをバネに抗して手動でロックピン孔から抜くことによりロック解除して脚体の折り畳みを可能としてなる作業台。
【発明の詳細な説明】
【技術分野】
【０００１】
本発明は、作業台に関するもので、更に詳しくは、作業用の天板と、天板の両端部に夫々折り畳み可能に取り付けられる前後一対の脚体と、前後脚体を使用位置に保持するために天板と各脚体との間に介装されるブレスとからなる作業台に関する。
【背景技術】
【０００２】
従来の作業台として、特許公報等の公知文献を具体的に挙げることはできないが、従来の作業台のブレスは一対のブレス部材からなり、両ブレス部材は、脚体が使用位置に拡開された直線状の使用姿勢から脚体が折り畳まれる収納姿勢に屈折できるように一端部どうしがピンで枢支連結され、一方のブレス部材の他端部が天板側に枢着され、他方のブレス部材の他端部が脚体側に枢着されている。
【発明の開示】
【発明が解決しようとする課題】
【０００３】
上記従来の作業台では、夫々他端部が天板側と脚体側とに枢着された両ブレス部材の一端部どうしがピンで枢支連結されているだけで、しかもそのピンはブレス部材に設けられた長孔に挿入されていることから、脚体が拡開された作業台使用時に両ブレス部材が直線状に延びた使用姿勢にある時、天板に人が乗って作業をするなどして天板が振動すると、その振動によりブレス部材が上下にガタツキを生じ、このガタツキにより脚体が揺れて、脚体の接地状態が不安定になると共に、ブレス部材のガタツキ及び脚体の揺れ伴う金属音の発生によって作業環境を悪くするといった問題があった。
【０００４】
本発明は、上記の事情に鑑み、脚体が拡開された作業台使用時に両ブレス部材が直線状に延びた使用姿勢にある時に天板が振動してもブレス部材がガタツキを生じるようなことがなく、脚体を安定状態に保持できると共に、金属音の発生をなくして作業環境を良くするようにした作業台を提供することを目的とする。
【課題を解決するための手段】
【０００５】
上記課題を解決するための手段を、後述する実施形態の参照符号を付して説明すると、請求項１に係る発明は、作業用の天板１と、折り畳まれることにより収納位置に設定可能で、拡開されることにより使用位置に設定可能に天板１の両端部に夫々取り付けられる前後一対の脚体２，２と、前後各脚体２を使用位置に保持するために天板１と各脚体２との間に介装されるブレス４とからなる作業台において、
各ブレス４は一対のブレス部材４ａ，４ｂからなるもので、両ブレス部材４ａ，４ｂは、直線状につながった使用姿勢から山形状の収納姿勢に屈折できるようにその互いの側壁ｃ，ｃ間を直交して設けられたピン１５によって一端部どうしが枢支連結され、且つ両ブレス部材４ａ，４ｂの何れか一方の一端部の上壁ａに、両ブレス部材４ａ，４ｂの対向端部間での指詰めを防止する指詰め防止カバー２１が設けられ、一方のブレス部材４ａの他端部は天板１側に枢着され、他方のブレス部材４ｂの他端部は脚体２側に枢着され、一方のブレス部材４ａの一端部にはロックピン１０又は２０が設けられ、該ロックピン１０又は２０は、支軸部１０ａと、支軸部１０ａの先端部から直角に延びたつなぎ軸部１０ｂ、つなぎ軸部１０ｂの先端部から内向きに支軸部１０ａと平行するように突出したロック軸部１０ｏと、ロック軸部１０ｏの先端面に形成されたテーパ面１０ｔとよりなり、該ロックピン１０又は２０は、ブレス部材４ａの左右側壁ｃ，ｃに設けられた軸挿通孔１７，１７に支軸部１０ａを軸支し且つ同じく側壁ｃに設けられピン孔１８にロック軸部１０ｏを係入させた状態で、支軸部１０ａとブレス部材４ａとの間に介装したバネ１２又は１２ａ，１２ｂで常時ロック位置に付勢されるように設けられ、他方のブレス部材４ｂの一端部には、その側板部１１ａにロックピン１０又は２０のロック軸部１０ｏが係入するロックピン孔１３を有するロック金具１１が設けられ、脚体２が収納位置に折り畳まれた時はロックピン１０又は２０がロック金具１１のロックピン孔１３から離脱しており、脚体２が使用位置に拡開される時にロック金具１１がロックピン１０又は２０をバネ１２又は１２ａ，１２ｂに抗して押し上げながらロックピン孔１３に落とし込んで両ブレス部材４ａ，４ｂをその互いの側壁ｃ，ｃ間を直交して設けられた前記枢支連結ピン１５と平行に設けられたロックピン１０又は２０とによって直線状の使用姿勢に自動的にロックし、ロックピン１０又は２０をバネ１２又は１２ａ，１２ｂに抗して手動でロックピン孔１３から抜くことによりロック解除して脚体２の折り畳みを可能としてなることを特徴とする。
【発明の効果】
【０００７】
上記解決手段による発明の効果を、後述する実施形態の参照符号を付して説明すると、請求項１に係る発明によれば、脚体２が収納位置に折り畳まれた時はロックピン１０又は２０がロック金具１１のロックピン孔１３から離脱していて、脚体２が使用位置に拡開される時はロック金具１１がロックピン１０又は２０を押し上げながらロックピン孔１３に落とし込んで両ブレス部材４ａ，４ｂを直線状の使用姿勢に自動ロックするよう構成したのもので、両ブレス部材４ａ，４ｂは、直線状につながった使用姿勢から山形状の収納姿勢に屈折できるようにその互いの側壁ｃ，ｃ間を直交して設けられたピン１５によって一端部どうしが枢支連結され、且つ両ブレス部材４ａ，４ｂの何れか一方の一端部の上壁ａに、両ブレス部材４ａ，４ｂの対向端部間での指詰めを防止する指詰め防止カバー２１が設けられ、一方のブレス部材４ａの他端部は天板１側に枢着され、他方のブレス部材４ｂの他端部は脚体２側に枢着され、一方のブレス部材４ａの一端部にはロックピン１０又は２０が設けられ、該ロックピン１０又は２０は、支軸部１０ａと、支軸部１０ａの先端部から直角に延びたつなぎ軸部１０ｂ、つなぎ軸部１０ｂの先端部から内向きに支軸部１０ａと平行するように突出したロック軸部１０ｏと、ロック軸部１０ｏの先端面に形成されたテーパ面１０ｔとよりなり、該ロックピン１０又は２０は、ブレス部材４ａの左右側壁ｃ，ｃに設けられた軸挿通孔１７，１７に支軸部１０ａを軸支し且つ同じく側壁ｃに設けられピン孔１８にロック軸部１０ｏを係入させた状態で、支軸部１０ａとブレス部材４ａとの間に介装したバネ１２又は１２ａ，１２ｂで常時ロック位置に付勢されるように設けられ、他方のブレス部材４ｂの一端部には、その側板部１１ａにロックピン１０又は２０のロック軸部１０ｏが係入するロックピン孔１３を有するロック金具１１が設けられ、脚体２が収納位置に折り畳まれた時はロックピン１０又は２０がロック金具１１のロックピン孔１３から離脱しており、脚体２が使用位置に拡開される時にロック金具１１がロックピン１０又は２０をバネ１２又は１２ａ，１２ｂに抗して押し上げながらロックピン孔１３に落とし込んで両ブレス部材４ａ，４ｂをその互いの側壁ｃ，ｃ間を直交して設けられた前記枢支連結ピン１５と平行に設けられたロックピン１０又は２０とによって直線状の使用姿勢に自動的にロックするように構成したもので、両ブレス部材４ａ，４ｂが前記枢支連結ピン１５を中心に屈折する方向と直交する方向にロックピン１０又は２０をロックピン孔１３に落とし込んでロックするようにしたため、両ブレス部材４ａ，４ｂを直線状の使用姿勢でロックピン１０により不動状態にロックできるから、天板に人が乗って作業する時などに天板が振動してもガタツキを生じることがなく、従って脚体２も揺れることなく床面等の上に安定な状態に支持される。また、ブレス部材４ａ，４ｂや脚体２がガタつくことがないため、金属音の発生もなく、作業環境を良くすることができる。また脚体２を折り畳む時は、ロックピン１０又は２０をバネ１２又は１２ａ，１２ｂに抗して手動でロックピン孔１３から抜くことにより簡単にロック解除することができる。
【０００８】
又、本発明によれば、両ブレス部材４ａ，４ｂの何れか一方の一端部の上壁ａに指詰め防止カバー２１を設けているから、両ブレス部材４ａ，４ｂの対向端部間での指詰めを防止して、作業の安全を図ることができる。
【発明を実施するための最良の形態】
【０００９】
以下に本発明の好適な一実施形態を図面に基づいて説明すると、図１の(a) は本発明に係る作業台を使用位置に拡開した状態で示す正面図、(b) は側面図、図２の(a) は同じく拡開状態での平面図であり、(b) は同作業台を収納位置に折り畳んだ状態の正面図である。この作業台は、作業用の天板１と、折り畳まれることによって収納位置に設定可能で、拡開されることにより使用位置に設定可能に回転金具３を介して天板１の両端部に夫々取り付けられた前後一対の脚体２，２と、前後脚体２を使用位置に保持するために天板１と各脚体２との間に介装される左右一対のブレス４，４とから構成される。各脚体２の上端部には左右両側に手掛かり棒５が取り付けられている。
【００１０】
天板１は、図１に示すように、アルミ押出形材からなる天板本体１ａと、天板本体１ａの前後両端部に固着されたアルミ押出形材からなる端部枠１ｂ，１ｂとによって形成されている。各脚体２は、一対の側枠６，６と、両側枠６，６間に横架された複数の踏杆７とからなるもので、各側枠６の下部には伸縮脚８が出退自在に設けられ、この伸縮脚８は、ロック手段によって所要位置で固定できるようになっている。このロック手段の操作部を図１の(b) に符号９で示す。
【００１１】
回転金具３は、周知構造のもので、図示は省略するが、天板１側に固定される固定側連結金具と脚体２側に連結される可動側連結金具とを枢支軸により回動可能に連結すると共に、固定用ピンによって脚体２を使用位置と収納位置とに夫々固定するようにしたものである。尚、この実施形態では、回転金具３によって脚体２を天板１に対し使用位置と収納位置とで固定可能に枢着しているが、このような回転金具３を用いることなく、単なる枢軸によって脚体２を天板１に対し枢着してもよい。
【００１２】
各ブレス４は、図１の(a) ，(b) 及び図３の(a) 〜(c) に示すように、一対のブレス部材４ａ，４ｂからなり、両ブレス部材４ａ，４ｂは、図３の(a) に示すような直線状につながった使用姿勢から山形状の収納姿勢に屈折できるように一端部どうしが枢支連結され、一方のブレス部材４ａの他端部は天板１側に枢着され、他方のブレス部材４ｂの他端部は脚体２側に枢着され、一方のブレス部材４ａの一端部にはロックピン１０がバネ１２で常時はロック位置に付勢されるように設けられていて、他方のブレス部材４ｂの一端部には、ロックピン１０が係入するロックピン孔１３を有するロック金具１１が設けられ、しかして脚体２が収納位置に折り畳まれた時はロックピン１０がロック金具１１のロックピン孔１３から離脱しており、脚体２が使用位置に拡開される時にロック金具１１がロックピン１０をバネ１２に抗して押し上げながらロックピン孔１３に落とし込んで両ブレス部材４ａ，４ｂを直線状の使用姿勢に自動的にロックし、ロックピン１０をバネ１２に抗して手動でロックピン孔１３から抜くことによりロック解除して脚体２の折り畳みを可能としたものである。
【００１３】
上記ブレス４の構造について更に詳しく説明すれば、各ブレス部材４ａ，４ｂは、上下壁ａ，ｂと左右側壁ｃ，ｃとからなるアルミ押出形材製の角筒状体で、図４の(a) に示すように、一方のブレス部材４ａの一端部の下壁ｂ側と他方のブレス部材４ｂの一端部の下壁ｂ側に夫々コ字枠状ヒンジ部材１４，１４の上板部１４ａ，１４ａが取り付けられていて、両ヒンジ部材１４，１４の側板部１４ｂ，側板部１４ｂのピン孔１４ｃ，１４ｃに亘ってピン１５が挿通され、ピン１５の先端ネジ部１５ｏにナット１６が螺着されることにより、両ブレス部材４ａ，４ｂは、図３の(c) に示すように対向端面４ａｏ，４ｂｏどうしが付き合わさって直線状につながった使用姿勢と、この使用姿勢から山形状に屈曲する収納姿勢とに亘って回動可能に枢支連結される。尚、両ブレス部材４ａ，４ｂは、枢支連結用のピン１５及びヒンジ部材１４，１４からなる枢着部がブレス部材４ａ，４ｂの下壁ｂ，ｂよりも下側に位置すると共に、直線状の使用姿勢で対向端面４ａｏ，４ｂｏどうしが当接するためそのような直線状の使用姿勢から山形状とは反対のＶ字状に屈曲することはできない。
【００１４】
一方のブレス部材４ａの一端部側に設けられたロックピン１０は、支軸部１０ａと、支軸部１０ａの先端部から直角に延びたつなぎ軸部１０ｂと、つなぎ軸部１０ｂの先端部から内向きに支軸部１０ａと平行するように突出したロック軸部１０ｏとからなるもので、ロック軸部１０ｏの先端面はテーパ面１０ｔとなっている。そして、ロックピン１０は、図３及び図４から分かるように、ブレス部材４ａの左右側壁ｃ，ｃに設けられた軸挿通孔１７，１７に支軸部１０ａを軸支し且つ左右側壁ｃに設けられたピン孔１８に外側からロック軸部１０ｏを係入させた状態で、支軸部１０ａとブレス部材４ａとの間に介装したコイルバネ１２によって支軸部１０ａをロック軸部１０ｏがピン孔１８に係入する方向に常時引張することにより、常時ロック位置に付勢されている。
【００１５】
このロックピン１０には支軸部１０ａの基端部に操作ツマミ１９が取り付けてあって、このツマミ１９を押すことにより、ロック軸部１０ｏをピン孔１８から引き抜いてロック解除することができる。もちろん、つなぎ軸部１０ｂのところを掴んでロック軸部１０ｏをピン孔１８から引き抜くこともできる。
【００１６】
他方のブレス部材４ｂの一端部には、図４の(a) ，(b) から分かるように、左右側板部１１ａ，１１ａと端板部１１ｂとからなる平面視コ字状のロック金具１１の両側板部１１ａ，１１ａが嵌挿されて、端板部１１ｂと側板部１１ａの一部がブレス部材４ｂの一端から所要長さだけ突出する状態にリベット２３で取り付け固定され、ブレス部材４ｂの一端から突出した側板部１１ａにはロックピン１０のロック軸部１０ｏが係入するロックピン孔１３が設けてある。ブレス部材４ｂの一端から突出した側板部１１ａ及び端板部１１ｂの夫々上辺側には、この側板部１１ａ及び端板部１１ｂがブレス部材４ａ内にスムーズに突入するようにヌスミ２２が設けられている。
【００１７】
図３の(a) 〜(c) は上記のように両ブレス部材４ａ，４ｂが直線状につながった使用姿勢から山形状の収納姿勢に屈折できるように一端部どうしが枢支連結された状態を示したもので、作業台の脚体２が折り畳まれて、(a) 及び(b) に示すように両ブレス部材４ａ，４ｂが山形状の収納姿勢に屈折している時は、ロックピン１０のロック軸部１０ｏはロック金具１１のロックピン孔１３から離脱し、ブレス部材４ａのピン孔１８に係入した状態で、コイルバネ１２によりロック位置に保持されている。尚、図３の(a) において、ブレス部材４ａ側のピン孔１８とブレス部材４ｂ側にあるロック金具１１のロックピン孔１３とは、両ブレス部材４ａ，４ｂを枢支連結するピン１５から等しい半径上に位置している。
【００１８】
しかして、脚体２が使用位置に拡開される時は、両ブレス部材４ａ，４ｂが山形状に屈折した収納姿勢から直線状に変形していくから、先ず、両ブレス部材４ａ，４ｂが山形状に屈折した状態では、ブレス部材４ａ側でロック位置に保持されているロックピン１０のロック軸部１０ｏは先端テーパ面１０ｔが図３の(a) ，(b) に示すようにブレス部材４ｂ側にあるロック金具１１の端板部１１ｂと側板部１１ａとの隅角部に弾接しており、この状態からブレス部材４ａ，４ｂが直線状につながる状態へと変形していくことによって、ロック軸部１０ｏの先端テーパ面１０ｔがロック金具１１の側板部１１ａに対し摺接しながら、両ブレス部材４ａ，４ｂの対向端面４ａｏ，４ｂｏどうしが付き合わさる直前に、ロックピン１０のロック軸部１０ｏがロック金具１１のロックピン孔１３に落ち込んで係入し、図３の(c) に示すように両ブレス部材４ａ，４ｂを対向端面４ａｏ，４ｂｏどうしが付き合わさった直線状の使用姿勢に自動的にロックすることができる。
【００１９】
脚体２を折り畳む時は、ロックピン１０の支軸部１０ａに設けてある操作ツマミ１９を押して、図３の(b) の仮想線で示すように、支軸部１０ａ及びつなぎ軸部１０ｂを介してロック軸部１０ｏをピン孔１８から抜き出すことによりロック解除すれば、両ブレス部材４ａ，４ｂが山形状に屈折自在となって、脚体２の折り畳みが可能となる。
【００２０】
尚、操作ツマミ１９を介してロックピン１０の支軸部１０ａを押し下げた時にロック軸部１０ｏがブレス部材４ａのピン孔１８から抜け出てしまわないように、操作ツマミ１９を最大限押し込んでも、ロック軸部１０ｏの先端部がピン孔１８に僅かに引っ掛かるように、支軸部１０ａが、コイルバネ１２を止めるピン２４で位置規制されている。
【００２１】
また、図３の(a) ，(c) 及び図４の(a) に示すように、ブレス部材４ｂの一端部の上壁ａには、両ブレス部材４ａ，４ｂの対向端部間で手指を詰めるのを防止するための指詰め防止カバー２１が取り付けられている。この指詰め防止カバー２１は、比較的厚いゴムシートによって形成される。
【００２２】
図５は本発明に係る他の実施形態によるロックピン２０を示す。このロックピン２０は図３及び図４に示されるロックピン１０と同じくブレス部材４ａに設けられるものであるが、ロックピン１０が支軸部１０ａとつなぎ軸部１０ｂとロック軸部１０ｏとからなるのに対し、このロックピン２０は、ブレス部材４ａの一端部の２箇所で軸支される２つの支軸部１０ａ1 ，１０ａ2 を有する点に特徴がある。
【００２３】
即ち、このロックピン２０は、長さが大小異なる２つの支軸部１０ａ1 ，１０ａ2 と、これら２つの支軸部１０ａ1 ，１０ａ2 の夫々先端部をつなぐつなぎ軸部１０ｂと、このつなぎ軸部１０ｂの先端部から内向きに支軸部１０ａと平行するように突出したロック軸部１０ｏとからなるもので、支軸部１０ａ1 及びロック軸部１０ｏは、ロックピン１０のものと同じあり、ロック軸部１０ｏの先端面はテーパ面１０ｔとなっている。しかして、このロックピン２０は、ブレス部材４ａの左右側壁ｃ，ｃに設けられた軸挿通孔１７，１７及びこの軸挿通孔１７より軸方向に所要長さ離れて設けられた軸挿通孔２５に、支軸部１０ａ1 ，１０ａ2 を夫々軸支し且つ側壁ｃに設けられたピン孔１８に外側からロック軸部１０ｏを係入させた状態で、支軸部１０ａ1 及び支軸部１０ａ2 とブレス部材４ａとの間に夫々介装したコイルバネ１２ａ，１２ｂによって両支軸部１０ａ1 ，１０ａ2 を夫々ロック軸部１０ｏがピン孔１８に係入する方向に常時引張することにより、常時ロック位置に付勢されるようにしたものである。
【００２４】
尚、長さの短い支軸部１０ａ2 の基端部にはコイルバネ１２ｂのバネ力を規制するナット２６が螺着される。このナット２６は、軸挿通孔２５の設けられた側壁ｃとは反対側の側壁ｃに開口されたナット挿入開口部２７よりブレス部材４ａ内に挿入されて支軸部１０ａ2 の基端部に螺着される。
【００２５】
このロックピン２０では、２つの支軸部１０ａ1 ，１０ａ2 をブレス部材４ａに軸支しているから、これら２つの支軸部１０ａ1 ，１０ａ2 をつなぐつなぎ軸部１０ｂの先端部にあるロック軸部１０ｏが常に安定した状態に保持され、ロック金具１１のロックピン孔１３に対し的確に係脱して、両ブレス部材４ａ，４ｂのロック及びロック解除を確実に行なわせることができる。
【００２６】
因みに、図３及び図４に示されるロックピン１０では１つの支軸部１０ａをブレス部材４ａに軸支しているため、支軸部１０ａを軸支するピン孔１７が長期使用による磨耗により孔径が拡大するようになると、支軸部１０ａにガタツキが生じるなどして、ロック軸部１０ｏがブレス部材４ａのピン孔１８やロック金具１１のロックピン孔１３に対して的確に係脱し得なくなるおそれがあるが、ロックピン２０の場合には、２つの支軸部１０ａ1 ，１０ａ2 をブレス部材４ａに軸支させるから、ロック軸部１０ｏを長期に亘り安定状態に保持できる。
【００２７】
以上説明したようなブレス４によれば、一対のブレス部材４ａ，４ｂは直線状につながった使用姿勢から山形状の収納姿勢に屈折できるように一端部どうしが枢支連結され、一方のブレス部材４ａの他端部は天板１側に枢着され、他方のブレス部材４ｂの他端部は脚体２側に枢着され、一方のブレス部材４ａの一端部にはロックピン１０又は２０がバネ１２又は１２ａ，１２ｂで常時ロック位置に付勢されるように設けられ、他方のブレス部材４ｂの一端部には、ロックピン１０又は２０が係入するロックピン孔１３を有するロック金具１１が設けられ、脚体２が収納位置に折り畳まれた時はロックピン１０又は２０がロック金具１１のロックピン孔１３から離脱しており、脚体２が使用位置に拡開される時はロック金具１１がロックピン１０又は２０を押し上げながらロックピン孔１３に落とし込んで両ブレス部材４ａ，４ｂを直線状の使用姿勢にロックするようになっているから、両ブレス部材４ａ，４ｂを、ロックピン１０によって直線状に延びた使用姿勢で不動状態にロックすることができ、従って天板に人が乗って作業をするなどして天板が振動してもガタツキを生じることがなく、従ってまた脚体２も振動することなく床面等上に安定状態に支持されることになる。そして、ブレス部材４ａ，４ｂや脚体２が振動を生じないため、金属音の発生もなく、作業環境を良くすることができる。また、脚体２を折り畳む時は、ロックピン１０又は２０をバネ１２又は１２ａ，１２ｂに抗して手動でロックピン孔１３から抜くことにより簡単にロック解除できて、脚体２を折り畳むことができる。
【図面の簡単な説明】
【００２８】
【図１】(a) は本発明に係る作業台を使用位置に拡開した状態で示す正面図、(b) は側面図である。
【図２】(a) は同じく拡開状態での平面図であり、(b) は同作業台を収納位置に折り畳んだ状態の正面図である。
【図３】(a) はブレスの要部を示す正面図で、両ブレス部材が山形状に屈折した状態を示し、(b) は同ブレス要部の縦断平面図であり、(c) は両ブレス部材が直線状の使用姿勢にロックされた状態の正面図である。
【図４】(a) はブレスの両ブレス部材を互いに切り離した状態の正面図、(b) は同じく両ブレス部材を互いに切り離した状態の平面図である。
【図５】他の形態のロックピンを有するブレスを示す図３の(b) と同様な縦断平面図である。
【符号の説明】
【００２９】
１            天板
２            脚体
４            ブレス
４ａ，４ｂ    ブレス部材
１０          ロックピン
１１          ロック金具
１２          バネ
１３          ロックピン孔
２１          指詰め防止カバー
２０          ロックピン
【図１】
0005070033.tif 000002
【図２】
0005070033.tif 000003
【図３】
0005070033.tif 000004
【図４】
0005070033.tif 000005
【図５】
0005070033.tif 000006